(57)【要約】      （修正有）【課題】色収差の良好な補正を可能とした、新規なインナーフォーカス式望遠レンズを提供する。【解決手段】物体側から像側へ向かって順に、正の第１レンズ群Ｉ、負の第２レンズ群ＩＩ、正の第３レンズ群ＩＩＩを配し、第１レンズ群と第２レンズ群との間に開口絞りＳを有してなり、第２レンズ群ＩＩが光軸上を移動することでフォーカシングを行うインナーフォーカス式望遠レンズで、第１レンズ群が、物体側から像側へ、正レンズ、正レンズ、正レンズ、負レンズ、負レンズ、正レンズを配してなり、第６レンズが第５レンズに近接し若しくは貼り合わせられ、物体側の共役点が無限遠の時、第１レンズ群の焦点距離、第２レンズ群の焦点距離、第５レンズの材質のアッベ数、第６レンズの材質のアッベ数が適切に設定された条件を満足する。【選択図】図１
2016051100.tif 000002
【特許請求の範囲】
【請求項１】
物体側から像側へ向かって順に、正の屈折力を持つ第１レンズ群、負の屈折力を持つ第２レンズ群、正の屈折力を持つ第３レンズ群を配し、第１レンズ群と第２レンズ群との間に開口絞りを有してなり、第２レンズ群が光軸上を移動することでフォーカシングを行うインナーフォーカス式望遠レンズであって、
第１レンズ群が、物体側から像側へ向かって順に、正の屈折力を持つＧ１Ｌ１レンズ、正の屈折力を持つＧ１Ｌ２レンズ、正の屈折力を持つＧ１Ｌ３レンズ、負の屈折力を持つＧ１Ｌ４レンズ、負の屈折力を持つＧ１Ｌ５レンズ、正の屈折力を持つＧ１Ｌ６レンズを配してなり、
前記Ｇ１Ｌ６レンズがＧ１Ｌ５レンズに近接し若しくは貼り合わせられ、
物体側の共役点が無限遠の時、全系の焦点距離：ｆ、第１レンズ群の焦点距離：ｆ１、第２レンズ群の焦点距離：ｆ２が条件：
（１）  ０．４  ＜  ｆ１／ｆ    ＜  ０．９  
（２）  ０．２  ＜｜ｆ２／ｆ  ｜＜  ０．６
（３）  １．３  ＜｜ｆ１／ｆ２｜＜  １．８  
を満足し、且つ、Ｇ１Ｌ５レンズの材質のアッベ数：νG1L5、Ｇ１Ｌ６レンズの材質のアッベ数：νG1L6が、条件：
（４）  １５  ＜  νG1L6  ＜  ３２  
（５）    ２  ＜  νG1L5−νG1L6  ＜  １０  
を満足するインナーフォーカス式望遠レンズ。
【請求項２】
請求項１記載のインナーフォーカス式望遠レンズにおいて、  
第１レンズ群の焦点距離：ｆ１、Ｇ１Ｌ５レンズとＧ１Ｌ６レンズとの合成焦点距離：ｆL5L6が、条件：  
（６）  １．５  ＜  ｆL5L6／ｆ１    ＜  ６．０
を満足するインナーフォーカス式望遠レンズ。
【請求項３】
請求項１または２記載のインナーフォーカス式望遠レンズにおいて、  
Ｇ１Ｌ５レンズは、両面が凹形状であり、Ｇ１Ｌ６レンズは、両面が凸形状であるインナーフォーカス式望遠レンズ。
【請求項４】
請求項１〜３の何れか１項に記載のインナーフォーカス式望遠レンズにおいて、
全系の焦点距離：ｆ、第３レンズ群の焦点距離：ｆ３が、条件：
（７）  ０．５  ＜  ｆ３／ｆ    ＜  ６．０  
を満足するインナーフォーカス式望遠レンズ。
【請求項５】
請求項１〜４の何れか１項に記載のインナーフォーカス式望遠レンズにおいて、  
第３レンズ群が、物体側から像側へ向かって順に、正の屈折力を持つＧ３Ｌ１レンズと負の屈折力を持つレンズ：Ｇ３Ｌ２を配してなるインナーフォーカス式望遠レンズ。
【請求項６】
請求項５記載のインナーフォーカス式望遠レンズにおいて、  
Ｇ３Ｌ１レンズのｄ線に対する屈折率：ＮG3L1、アッベ数：νG3L1、Ｇ３Ｌ２レンズのｄ線に対する屈折率：ＮG3L2、アッベ数：νG3L2が、条件：  
（８）  −０．４  ＜  ＮG3L1−ＮG3L2  ＜  −０．１  
（９）  １５  ＜  νG3L1−νG3L2  ＜  ３５  
を満足するインナーフォーカス式望遠レンズ。
【請求項７】
請求項１〜６の何れか１項に記載のインナーフォーカス式望遠レンズにおいて、
第１レンズ群内のＧ１Ｌ３レンズは、両面が凸形状で、Ｇ１Ｌ４レンズは、両面が凹形状であるインナーフォーカス式望遠レンズ。
【請求項８】
請求項１〜７の何れか１項に記載のインナーフォーカス式望遠レンズにおいて、
Ｇ１Ｌ３レンズとＧ１Ｌ４レンズが、張り合わされた接合レンズであるインナーフォーカス式望遠レンズ。
【発明の詳細な説明】
【技術分野】
【０００１】
この発明は、インナーフォーカス式望遠レンズに関する。
【背景技術】
【０００２】
遠方にある被写体を大きく捉えることができる「望遠レンズ」は、従来から種々のものが知られている。
【０００３】
「遠方にある被写体を大きく捉える」機能は、望遠レンズの焦点距離が大きいほど顕著であり、焦点距離の長い望遠レンズの需要は大きい。
【０００４】
焦点距離が長くなるほど「望遠レンズのサイズ」が大きくなり易いので、全長の長大化を抑制しつつ、長い焦点距離を実現することが望まれる。
【０００５】
しかし「長い焦点距離を持つコンパクトな望遠レンズ」は一般に、色収差の増大による像性能の劣化を伴い易い。
【０００６】
望遠レンズにおける色収差の低減を提案するものとして、特許文献１、２に記載のものが知られている。
【発明の概要】
【発明が解決しようとする課題】
【０００７】
この発明は、色収差の良好な補正を可能とした、新規なインナーフォーカス式望遠レンズの実現を課題とする。
【課題を解決するための手段】
【０００８】
この発明のインナーフォーカス式望遠レンズは、物体側から像側へ向かって順に、正の屈折力を持つ第１レンズ群、負の屈折力を持つ第２レンズ群、正の屈折力を持つ第３レンズ群を配し、第１レンズ群と第２レンズ群との間に開口絞りを有してなり、第２レンズ群が光軸上を移動することでフォーカシングを行うインナーフォーカス式望遠レンズであって、第１レンズ群が、物体側から像側へ向かって順に、正の屈折力を持つＧ１Ｌ１レンズ、正の屈折力を持つＧ１Ｌ２レンズ、正の屈折力を持つＧ１Ｌ３レンズ、負の屈折力を持つＧ１Ｌ４レンズ、負の屈折力を持つＧ１Ｌ５レンズ、正の屈折力を持つＧ１Ｌ６レンズを配してなり、前記Ｇ１Ｌ６レンズがＧ１Ｌ５レンズに近接し若しくは貼り合わせられ、物体側の共役点が無限遠の時、全系の焦点距離：ｆ、第１レンズ群の焦点距離：ｆ１、第２レンズ群の焦点距離：ｆ２が条件：
（１）  ０．４  ＜  ｆ１／ｆ    ＜  ０．９  
（２）  ０．２  ＜｜ｆ２／ｆ  ｜＜  ０．６
（３）  １．３  ＜｜ｆ１／ｆ２｜＜  １．８  
を満足し、且つ、Ｇ１Ｌ５レンズの材質のアッベ数：νG1L5、Ｇ１Ｌ６レンズの材質のアッベ数：νG1L6が、条件：
（４）  １５  ＜  νG1L6  ＜  ３２  
（５）    ２  ＜  νG1L5−νG1L6  ＜  １０  
を満足する。
【発明の効果】
【０００９】
この発明によれば、色収差の良好な補正を可能とした、新規なインナーフォーカス式望遠レンズを実現できる。
【図面の簡単な説明】
【００１０】
【図１】物体距離が無限遠時の実施例１のレンズ構成図である。
【図２】物体距離が無限遠時の実施例１の球面収差、非点収差、歪曲収差を示す図である。
【図３】物体距離が無限遠時の実施例１のコマ収差を示す図である。
【図４】物体距離が無限遠時の実施例２のレンズ構成図である。
【図５】物体距離が無限遠時の実施例２の球面収差、非点収差、歪曲収差を示す図である。
【図６】物体距離が無限遠時の実施例２のコマ収差を示す図である。
【図７】物体距離が無限遠時の実施例３のレンズ構成図である。
【図８】物体距離が無限遠時の実施例３の球面収差、非点収差、歪曲収差を示す図である。
【図９】物体距離が無限遠時の実施例３のコマ収差を示す図である。
【図１０】物体距離が無限遠時の実施例４のレンズ構成図である。
【図１１】物体距離が無限遠時の実施例４の球面収差、非点収差、歪曲収差を示す図である。
【図１２】物体距離が無限遠時の実施例４のコマ収差を示す図である。
【図１３】物体距離が無限遠時の実施例５のレンズ構成図である。
【図１４】物体距離が無限遠時の実施例５の球面収差、非点収差、歪曲収差を示す図である。
【図１５】物体距離が無限遠時の実施例５のコマ収差を示す図である。
【図１６】物体距離が無限遠時の実施例６のレンズ構成図である。
【図１７】物体距離が無限遠時の実施例６の球面収差、非点収差、歪曲収差を示す図である。
【図１８】物体距離が無限遠時の実施例６のコマ収差を示す図である。
【発明を実施するための形態】
【００１１】
以下、実施の形態を説明する。
【００１２】
図１、図４、図７、図１０、図１３、図１６に、インナーフォーカス式望遠レンズの実施の形態を６例示す。
【００１３】
これら６例の実施の形態は、この順序で、後述の実施例１ないし６のインナーフォーカス式望遠レンズに対応する。
【００１４】
上記各図における左方が「物体側」であり、右側が「像側」である。  
繁雑を避けるため、これらの図において符号を共通化する。
【００１５】
各図に示すインナーフォーカス式望遠レンズは、図示の如く、物体側（図の左方）から像側（図の右方）に向かって、第１レンズ群Ｉ、第２レンズ群ＩＩ、第３レンズ群ＩＩＩを配し、第１レンズ群Ｉと第２レンズ群ＩＩの間に開口絞りＳを有してなる。
【００１６】
第１レンズ群Ｉは「正の屈折力」を持ち、第２レンズ群ＩＩは「負の屈折力」を持ち、第３レンズ群ＩＩＩは「正の屈折力」を持つ。
【００１７】
「フォーカシング」は、第２レンズ群ＩＩが光軸上を移動することにより行われる。
【００１８】
上記図１、図４、図７、図１０、図１３、図１６は、第２レンズ群ＩＩの移動により、無限遠にある被写体にフォーカシングした状態（即ち「物体距離が無限遠」の時）のインナーフォーカス式望遠レンズのレンズ構成を示すものである。
【００１９】
また、上記各図に示す実施の形態では「インナーフォーカス式望遠レンズによる像を撮像素子により撮像する」ことが想定されている。
【００２０】
上記各図における符号ＣＧは、撮像素子の「カバーガラスや各種フィルタを、これらに等価な１枚の透明板」として表したものであり、符号ＩＭは「像面」を示している。
【００２１】
以下においては上記透明板を「カバーガラスＣＧ」と表記する。
【００２２】
以下の説明の明確化のため、各群を構成するレンズに名前を付ける。  
第ｉレンズ群（ｉ＝１〜３）を構成するレンズのうち、第ｉレンズ群内で物体側から数えてｊ番目のレンズを「ＧｉＬｊレンズ」と名付ける。
【００２３】
そうすると、第１レンズ群Ｉは、物体側から像側へ向かって順次、Ｇ１Ｌ１レンズ、Ｇ１Ｌ２レンズ、Ｇ１Ｌ３レンズ、Ｇ１Ｌ４レンズ、Ｇ１Ｌ５レンズ、Ｇ１Ｌ６レンズの６枚のレンズを配して構成されている。
【００２４】
また、上記各図に実施の形態を示されたインナーフォーカス式望遠レンズでは、第２レンズ群ＩＩは、物体側から像側へ向かって順次、Ｇ２Ｌ１レンズ、Ｇ２Ｌ２レンズの２枚のレンズを配して構成され、第３レンズ群ＩＩＩは、物体側から像側へ向かって順次、Ｇ３Ｌ１レンズ、Ｇ３Ｌ２レンズの２枚のレンズを配して構成されている。
【００２５】
第１レンズ群Ｉを構成する６枚のＧ１Ｌ１レンズ〜Ｇ２Ｌ６レンズのうち、Ｇ１Ｌ１レンズ、Ｇ１Ｌ２レンズ、Ｇ１Ｌ３レンズは何れも「正の屈折力」を持つ。
【００２６】
また、Ｇ１Ｌ４レンズとＧ１Ｌ５とは「負の屈折力」を持ち、Ｇ１Ｌ６レンズは「正の屈折力」を持つ。
【００２７】
上記各図に示す如く、Ｇ１Ｌ６レンズは「Ｇ１Ｌ５レンズに近接し、若しくは貼り合わせられた」状態となっている。
【００２８】
各実施の形態のインナーフォーカス式望遠レンズは、物体側の共役点（物体距離）が無限遠のとき、全系の焦点距離：ｆ、第１レンズ群の焦点距離：ｆ１、第２レンズ群の焦点距離：ｆ２が、条件：
（１）  ０．４  ＜  ｆ１／ｆ    ＜  ０．９  
（２）  ０．２  ＜｜ｆ２／ｆ  ｜＜  ０．６
（３）  １．３  ＜｜ｆ１／ｆ２｜＜  １．８  
を満足する。
【００２９】
また、Ｇ１Ｌ５レンズの材質のアッベ数：νG1L5、Ｇ１Ｌ６レンズの材質のアッベ数：νG1L6が、条件：
（４）  １５  ＜  νG1L6  ＜  ３２  
（５）  ２  ＜  νG1L5−νG1L6  ＜  １０  
を満足する。
【００３０】
なお、以下において「正（負）の屈折力を持つレンズ（レンズ群）」を、単に「正（負）レンズ（レンズ群）」とも言う。
【００３１】
条件（１）は、全系における「第１レンズ群の正の屈折力」を規定する条件である。
【００３２】
パラメータ：ｆ１／ｆが、条件（１）の上限を超えると、ｆ１が過大となって第１レンズ群の正の屈折力が小さくなり、全長が長大化し易い。
【００３３】
条件（１）の下限を超えると、球面収差などの諸収差が大きくなり、良好な像性能を維持することが難しくなる。
【００３４】
条件（２）は、全系における「第２レンズ群の負の屈折力」を規定する条件である。
【００３５】
パラメータ：｜ｆ２／ｆ｜が条件（２）の上限を超えると、ｆ２の絶対値が過大となって第２レンズ群の負の屈折力が弱くなり、第２レンズ群の「フォーカシングに必要な移動量」が大きくなり、全系のコンパクト化が難しくなる。
【００３６】
条件（２）の下限を超えると、第２レンズ群の負の屈折力が強くなり、近距離にフォーカシングした際の諸収差の増大を招来する。
【００３７】
条件（３）は、第１レンズ群と第２レンズ群の「屈折力の比」を規定する条件である。
【００３８】
パラメータ：｜ｆ１／ｆ２｜が条件（３）の上限を超えると、第２レンズ群のレンズ径が過小となり、第１レンズ群で発生する球面収差や非点収差の補正が困難となる。
【００３９】
条件（３）の下限を超えると、第２レンズ群が、第１レンズ群に近づいてレンズ径が大きくなるため、全系をコンパクトに構成することが困難になる。また、第２レンズ系の重量が大きくなるため、高速のフォーカシングが困難になる。
【００４０】
条件（４）は、正レンズであるＧ１Ｌ６レンズが「高分散のガラス」で構成されることを意味し、条件（５）は、Ｇ１Ｌ６レンズの物体側に配されるＧ１Ｌ５レンズの材質が「Ｇ１Ｌ６レンズより僅かにアッベ数の大きい硝材」であることを示す。
【００４１】
これら条件（４）、（５）が満足されることにより、色収差を小さくできる。
【００４２】
「一般的な望遠レンズ」では、物体からの光線は、第１レンズ群内で「物体側に配置された低分散のガラスによる正レンズ」を通過後、短波長の光線は「長波長の光線より光軸側」を進む。
【００４３】
そして、次に「高分散のガラスによる負レンズ」を通過すると、短波長の光線は「長波長の光線より光軸から離れる方」に大きく曲げられる。
【００４４】
このようにして、短波長と長波長の光線を像面位置で「ある程度の範囲内に収める」ことができ、この範囲の大きさが「色収差の大小を決める」と考えることができる。
【００４５】
そして「残存する２次色収差の量」は、上記正レンズと負レンズの異常分散性に依存することになる。
【００４６】
２次色収差を小さくするには、正レンズに「所謂ランゲと称する異常分散性を持つガラス」、負レンズに「クルツと称する異常分散性のガラス」を用いるのが効果的である。
【００４７】
しかし、これら異常分散性を持つ材料は、一般に高価であり、「柔らかいため加工が難しい」ので多用は好ましくない。
【００４８】
この発明のインナーフォーカス式望遠レンズでは、負のＧ１Ｌ５レンズと正のＧ１Ｌ６レンズを「大きな異常分散性を持たない通常のガラス」で構成し、これら２枚のレンズを近接させ、若しくは貼り合わせて配置する。
【００４９】
そして、Ｇ１Ｌ５レンズとＧ１Ｌ６の材質のアッベ数を、条件（４）、（５）で規定することにより「短波長から長波長に至る波長域の光線を、像面位置において、より小さい範囲に導く」ことを可能とし、少ない色収差を実現している。
【００５０】
即ち、この発明のインナーフォーカス式望遠レンズは、上記構成で条件（１）〜（５）を満足することにより、全長が長大化することを抑制してコンパクト化を可能とし、球面収差などの諸収差や色収差の増大を抑制し、良好な性能の実現を可能としている。
【００５１】
Ｇ１Ｌ５レンズは「両面が凹形状」、Ｇ１Ｌ６レンズは「両面が凸形状」とするのが好ましい。このようなレンズ形状とすることで、これら２枚のレンズの「貼り合わせ」や近接配置が容易となる。
【００５２】
この発明のインナーフォーカス式望遠レンズは、上記構成に加え、以下の条件（６）および（７）の１以上を満足することが好ましい。
【００５３】
（６）  １．５  ＜  ｆL5L6／ｆ１    ＜  ６．０
（７）  ０．５  ＜  ｆ３／ｆ    ＜  ６．０  
条件（６）、（７）の各パラメータにおける記号の意味は、以下の通りである。
【００５４】
「ｆ」は、物体距離が無限遠における全系の焦点距離、「ｆ１」は、第１レンズ群の焦点距離、「ｆ３」は、第３レンズ群の焦点距離である。
【００５５】
「ｆL5L6」は、Ｇ１Ｌ５レンズとＧ１Ｌ６レンズとの合成焦点距離である。  
Ｇ１Ｌ５レンズは負レンズで、Ｇ１Ｌ６は正レンズであり、Ｇ１Ｌ６レンズの正の屈折力がＧ１Ｌ５レンズの負の屈折力よりも「絶対値」で大きく、合成焦点距離：ｆL5L6は、正の値となる。
【００５６】
条件（６）は、第１レンズ群におけるＧ１Ｌ５レンズとＧ１Ｌ６レンズの「合成の屈折力」を規定する条件である。
【００５７】
パラメータ：ｆL5L6／ｆ１が条件（６）の上限を超えると、Ｇ１Ｌ５レンズとＧ１Ｌ６レンズの「合成の正の焦点距離」が過大となり、色収差補正の効果が小さくなり易い。
【００５８】
条件（６）の下限を超えると、色収差補正が過剰となり易い。
【００５９】
条件（６）を満足することにより「色収差のより良好な補正」が可能となる。
【００６０】
条件（７）は、全系における第３レンズ群の屈折力を規定する条件である。
【００６１】
パラメータ：ｆ３／ｆが条件（７）の上限を超えると、第３レンズ群の屈折力が「全系の屈折力に対して相対的に小さく」なり、レンズ全長が長くなり易く、第１レンズ群が大きくなり易い。
【００６２】
条件（７）の下限を超えると、第３レンズ群の屈折力が「全系の屈折力に対して相対的に大きく」なり、バックフォーカスの確保が難しくなる。
【００６３】
条件（７）を満足することにより「インナーフォーカス式望遠レンズのコンパクト性をより高める」ことが可能になる。
【００６４】
第３レンズ群は、物体側から像側へ向かって順に、正のＧ３Ｌ１レンズと負のＧ３Ｌ２レンズとを配することで、コマ収差、歪曲収差の、より良好な補正が可能となる。
【００６５】
この場合には、上記条件（１）〜（５）と共に、あるいは、さらに条件（６）、（７）の１以上とともに、以下の条件（８）、（９）の１以上を満足するのが好ましい。
【００６６】
（８）  −０．４  ＜  ＮG3L1−ＮG3L2  ＜  −０．１  
（９）  １５  ＜  νG3L1−νG3L2  ＜  ３５                                  。
【００６７】
「ＮG3L1」および「νG3L1」は、Ｇ３Ｌ１レンズのｄ線に対する屈折率およびアッベ数であり、「ＮG3L2」および「νG3L2」は、Ｇ３Ｌ２レンズのｄ線に対する屈折率およびアッベ数である。
【００６８】
条件（８）、（９）の１以上を満足することにより、色収差をより小さいものすることができる。
【００６９】
なお、第１レンズ群内のＧ１Ｌ３レンズ（正レンズ）は「両面を凸形状」とし、Ｇ１Ｌ４レンズ（負レンズ）は「両面を凹形状」とすることができる。また、これらＧ１Ｌ３レンズとＧ１Ｌ４レンズは「張り合わされた接合レンズ」であることができる。
【実施例】
【００７０】
以下、具体的な実施例を６例挙げる。
【００７１】
各実施例において、面番号は物体側（被写体側）から像面側（撮像素子側）に向かって数えた数字で表した。
【００７２】
「Ｒ」により各面（開口絞りＳの面、及び、カバーガラスＣＧの面を含む）の曲率半径を表し、「Ｄ」により光軸上の面間隔を表す。
【００７３】
「開口絞り」はデータ中においては「絞り」と表記している。
【００７４】
なお、「長さの次元を持つ量」の単位は、特に断らない限り「ｍｍ」である。
【００７５】
「Ｎｄ」及び「νｄ」により、各レンズの材質の、ｄ線に対する屈折率およびアッべ数を示す。
【００７６】
「有効半径」は、レンズの光軸から見て、光線の通る最大高さを示す。
【００７７】
「像高」は像面における光軸から像の最大高さ、「ＢＦ」は空気中（カバーガラスＣＧ等の挿入物がない状態）における「最も像面側のレンズ面から近軸像までの距離（バックフォーカス）」を表す。
【００７８】
「レンズ全長」は、最も物体側のレンズ面から最も像面側のレンズ面までの距離にバックフォーカス（ＢＦ）を加えたものを表す。
【００７９】
「可変データ」は、各実施例のインナーフォーカス式望遠レンズの物体距離が「無限遠、中間距離、最至近距離」である場合に、これらの距離にある被写体にフォーカシングしたときの「第２レンズ群ＩＩの位置」を示すものである。
【００８０】
第２レンズ群ＩＩは、無限遠から「有限距離の被写体」にフォーカシングする際に、物体側から像側へ向かって変位する。
【００８１】
各実施例におけるこれら無限遠・中間距離・再至近距離は、各物体距離における倍率を与える。実施例１〜６におけるこれらの「倍率値（倍）」は、以下の通りである。
物体距離        無限遠        中間距離        最至近距離  
実施例１      ０．０００    −０．０２０    −０．２１３  
実施例２      ０．０００    ―０．０２０    −０．１７８  
実施例３      ０．０００    ―０．０２０    ―０．１３０  
実施例４      ０．０００    ―０．０２３    ―０．１５０  
実施例５      ０．０００    −０．０２０    −０．２１５  
実施例６      ０．０００    ―０．０３０    ―０．１１０          。
【００８２】
「各種データ」は、全系の「焦点距離」、「Ｆナンバー」、「半画角」、「像高」、「ＢＦ」、「レンズ全長」を、物体距離が無限遠のときを代表として、光線波長：５８７．５６ｎｍで計算した値を示す。
【００８３】
「実施例１」
実施例１は、図１にレンズ構成図を示したものである。
【００８４】
第１レンズ群Ｉの、Ｇ１Ｌ３レンズは「両面が凸形状」、Ｇ１Ｌ４レンズは「両面が凹形状」である。Ｇ１Ｌ５レンズは「両面が凹形状」、Ｇ１Ｌ６レンズは「両面が凸形状」となっており、これらＧ１Ｌ５レンズとＧ１Ｌ６レンズは、貼り合わせられて「接合レンズ」となっている。
【００８５】
第２レンズ群ＩＩは、Ｇ２Ｌ１レンズ（両凸レンズ）とＧ２Ｌ２レンズ（両凹レンズ）とを貼り合わせた接合レンズである。
【００８６】
第３レンズ群ＩＩＩは、物体側から像側へ向かって順に、正のＧ３Ｌ１レンズと負のＧ３Ｌ２レンズの２枚で構成されている。
【００８７】
実施例１のデータを「レンズデータ１」に示す。
【００８８】
「レンズデータ１」
面番号     Ｒ         Ｄ         Ｎｄ       νｄ    有効半径
物面         ∞         ∞
1       107.621      8.134     1.48749      70.5     35.50
2    −2004.485      0.300                           35.30
3        59.110      9.941     1.45860      90.2     33.35
4       187.139      3.717                           32.54
5        44.778     14.222     1.49700      81.6      28.21
6     −568.940      0.324                           26.33
7     −465.288      4.000     1.63980      34.6      26.12
8        28.964      9.964                           20.24
9     −137.891      1.900     1.74077      27.8      20.19
10       27.634     12.078     1.80518      25.5     19.74
11    −129.530      5.920                           19.57
12(絞り)     ∞     （可変）                         17.65
13      174.374      3.886     1.84666      23.8      17.29
14     −98.720      1.800     1.80610      40.7      16.99
15       49.937     （可変）                         15.84
16       64.283      5.628     1.51680      64.2      16.50
17     −70.456      0.300                           16.56
18     −84.910      1.700     1.74950      35.0      16.51
19           ∞     64.500                           16.67
20           ∞      2.000     1.51680      64.2      21.81
21           ∞      1.000                           21.92
像面         ∞                                                。
「可変データ」
物体距離       ∞     10100.000    1014.500
Ｄ12          0.305       2.457      25.561
Ｄ15         33.882      31.730       8.626                      。
「各種データ」
焦点距離      ２００．０００
Ｆナンバー        ２．８０
半画角            ６．３°
像高            ２２．０００
ＢＦ            ６６．８７０
レンズ全長    １８４．８７４
「条件式のパラメータの値」
条件（１）ｆ１／ｆ＝０．６８  
条件（２）｜ｆ２／ｆ  ｜＝０．４７  
条件（３）｜ｆ１／ｆ２｜＝１．４５  
条件（４）νG1L6  ＝２５．４６  
条件（５）νG1L5−νG1L6  ＝２．３０  
条件（６）ｆL5L6／ｆ１＝２．２０  
条件（７）ｆ３／ｆ＝０．７５  
条件（８）ＮG3L1−ＮG3L2  ＝−０．２３  
条件（９）νG3L1−νG3L2  ＝２９．１６                                  。
【００８９】
実施例１のインナーフォーカス式望遠レンズの、物体距離が無限遠のときの球面収差、非点収差、歪曲収差の図を図２に、コマ収差の図を図３に示す。
【００９０】
各収差図は、波長：５８７．５６ｎｍのｄ線の収差を示すが、球面収差図、コマ収差図には、波長：６５６．２７ｎｍのＣ線と、４３５．８４ｎｍのｇ線の収差も併せて表示している。非点収差図におけるＳはサジタル像面、Ｍはメリディオナル像面の収差を示す。
【００９１】
収差図の記載要領は、他の実施例（実施例２〜実施例６）においても同様である。
【００９２】
「実施例２」
実施例２は、図４にレンズ構成図を示したものである。
【００９３】
第１レンズ群Ｉの、Ｇ１Ｌ３レンズは「両面が凸形状」、Ｇ１Ｌ４レンズは「両面が凹形状」である。Ｇ１Ｌ５レンズは「両面が凹形状」、Ｇ１Ｌ６レンズは「両面が凸形状」となっており、これらＧ１Ｌ５レンズとＧ１Ｌ６レンズは、貼り合わせられて「接合レンズ」となっている。
【００９４】
第２レンズ群ＩＩは、Ｇ２Ｌ１レンズ（両凸レンズ）とＧ２Ｌ２レンズ（両凹レンズ）とを貼り合わせた接合レンズである。
【００９５】
第３レンズ群ＩＩＩは、物体側から像側へ向かって順に、正のＧ３Ｌ１レンズと負のＧ３Ｌ２レンズの２枚で構成されている。
【００９６】
実施例２のデータを「レンズデータ２」に示す。
【００９７】
「レンズデータ２」
面番号     Ｒ         Ｄ         Ｎｄ       νｄ    有効半径
物面         ∞         ∞
1       115.677      7.110     1.48749      70.5      36.50
2      2182.635      0.300                           36.32
3        58.295     12.000     1.49700      81.6      34.39
4       291.044      7.277                           33.47
5        43.845     11.250     1.49700      81.6      26.77
6     −463.396      0.200                           26.00
7     −409.072      4.436     1.72047      34.7      25.87
8        30.167     11.859                           20.11
9      −89.792      2.000     1.68893      31.2      19.77
10       30.794     10.840     1.75520      27.5      19.71
11     −87.853      3.229                           19.66
12(絞り)     ∞     （可変）                         18.30
13      236.722      3.386     1.77520      27.5      17.35
14    −118.017      2.000     1.65844      50.9      17.09
15       48.301     （可変）                         15.97
16       57.273      7.000     1.51742      52.2      15.68
17     −57.200      2.001                           15.50
18     −60.371      2.000     1.73800      32.3      15.30
19           ∞     62.500                           15.52
20           ∞      2.000     1.51633      64.1      21.77
21           ∞      1.000                           21.90
像面         ∞                                            。
「可変データ」
物体距離       ∞     10100.000    1200.000
Ｄ12          3.290       5.884      28.523
Ｄ15         29.823      27.229       4.590                          。
「各種データ」
焦点距離      １９９．９８９
Ｆナンバー        ２．８０
半画角            ６．３°
像高            ２２．０００
ＢＦ            ６４．８２０
レンズ全長    １８４．８２０
「条件式のパラメータの値」
条件（１）ｆ１／ｆ＝０．７４
条件（２）｜ｆ２／ｆ  ｜＝０．５３
条件（３）｜ｆ１／ｆ２｜＝１．４１
条件（４）νG1L6  ＝２７．５３
条件（５）νG1L5−νG1L6  ＝３．６３
条件（６）ｆL5L6／ｆ１＝１．９０
条件（７）ｆ３／ｆ＝０．７８
条件（８）ＮG3L1−ＮG3L2  ＝−０．２２
条件（９）νG3L1−νG3L2  ＝１９．８９                                。
【００９８】
実施例２のインナーフォーカス式望遠レンズの物体距離が無限遠の時の球面収差、非点収差、歪曲収差の図を図５に、コマ収差の図を図６に示す。
【００９９】
「実施例３」
実施例３は、図７にレンズ構成図を示したものである。
【０１００】
第１レンズ群Ｉの、Ｇ１Ｌ３レンズは「両面が凸形状」、Ｇ１Ｌ４レンズは「両面が凹形状」であり、これら２枚のレンズは貼り合わせられている。Ｇ１Ｌ５レンズは「両面が凹形状」、Ｇ１Ｌ６レンズは「両面が凸形状」となっており、これらＧ１Ｌ５レンズとＧ１Ｌ６レンズも貼り合わせられている。
【０１０１】
第２レンズ群ＩＩは、Ｇ２Ｌ１レンズ（両凸レンズ）とＧ２Ｌ２レンズ（両凹レンズ）とを貼り合わせた接合レンズである。
【０１０２】
第３レンズ群ＩＩＩは、物体側から像側へ向かって順に、正のＧ３Ｌ１レンズと負のＧ３Ｌ２レンズの２枚で構成されている。
【０１０３】
実施例３のレンズデータを「レンズデータ３」に示す。
【０１０４】
「レンズデータ３」
面番号     Ｒ         Ｄ         Ｎｄ       νｄ    有効半径
物面         ∞         ∞
1       130.026      7.439     1.48749      70.5      36.50
2     −939.368      0.300                           35.43
3        59.537     11.745     1.49700      81.6      33.64
4       268.779      4.306                           32.58
5        47.020     13.912     1.49700      81.6      27.72
6     −234.926      2.021     1.72047      34.7      25.92
7        33.237     11.733                           21.27
8     −104.919      1.900     1.68893      31.2      20.95
9        32.527     12.225     1.75520      27.5      20.82
10     −90.971      5.000                           20.72
11(絞り)     ∞     （可変）                         18.82
12      662.119      3.653     1.76182      26.6      17.36
13     −81.060      2.500     1.65844      50.9      17.10
14       47.420     （可変）                         15.80
15       61.852      7.035     1.53172      48.8      16.50
16     −60.622      2.840                           16.57
17     −62.791      1.500     1.75520      27.5      16.25
18    −896.349     64.500                           16.44
19           ∞      2.000     1.51633      64.1     21.80
20           ∞      1.000                          21.91
像面         ∞                                              。
「可変データ」
物体距離       ∞     10100.000    1614.500
Ｄ11          5.000       7.076      19.104
Ｄ14         24.891      22.815      10.787
「各種データ」
焦点距離      ２００．０００
Ｆナンバー        ２．８０
半画角            ６．３°
像高            ２２．０００
ＢＦ            ６６．８４１
レンズ全長    １８４．８４１
「条件式のパラメータの値」
条件（１）ｆ１／ｆ＝０．６８  
条件（２）｜ｆ２／ｆ  ｜＝０．４４  
条件（３）｜ｆ１／ｆ２｜＝１．５６  
条件（４）νG1L6  ＝２７．５３  
条件（５）νG1L5−νG1L6  ＝３．６３  
条件（６）ｆL5L6／ｆ１＝１．８０  
条件（７）ｆ３／ｆ＝０．７３  
条件（８）ＮG3L1−ＮG3L2  ＝−０．２２  
条件（９）νG3L1−νG3L2  ＝２１．３１                            。
【０１０５】
実施例３のインナーフォーカス式望遠レンズの物体距離が無限遠の時の球面収差、非点収差、歪曲収差の図を図８に、コマ収差の図を図９に示す。
【０１０６】
「実施例４」
実施例４は、図１０にレンズ構成図を示したものである。
【０１０７】
第１レンズ群Ｉの「Ｇ１Ｌ３レンズ（両凸レンズ）とＧ１Ｌ４レンズ（両凹レンズ）」は貼り合わされている。
【０１０８】
Ｇ１Ｌ５レンズとＧ１Ｌ６レンズとは「微小な空気間隔：０．３００ｍｍ」を隔して近接配置されている。
【０１０９】
第２レンズ群ＩＩは、Ｇ２Ｌ１レンズ（両凸レンズ）とＧ２Ｌ２レンズ（両凹レンズ）とを貼り合わせた接合レンズである。
【０１１０】
第３レンズ群ＩＩＩは、物体側から像側へ向かって順に、正のＧ３Ｌ１レンズと負のＧ３Ｌ２レンズの２枚で構成されている。
【０１１１】
実施例４のレンズデータを「レンズデータ４」に示す。
【０１１２】
「レンズデータ４」
面番号     Ｒ         Ｄ         Ｎｄ       νｄ    有効半径
物面         ∞         ∞
1       117.871      8.226     1.48749      70.5      36.50
2     −680.886      4.468                           35.42
3        77.224     10.204     1.45860      90.2      33.10
4       411.527      4.958                           32.02
5        56.543     13.645     1.45860      90.2      27.97
6     −152.876      2.823     1.72047      34.7      26.28
7        49.183     16.907                           22.88
8     −117.373      1.900     1.67270      32.2      21.22
9       169.773      0.300                           21.07
10      134.481      6.437     1.76182      26.6      21.09
11     −90.195      5.000                           20.98
12(絞り)     ∞     （可変）                         18.93
13    −843.032      3.606     1.76182      26.6      17.44
14     −68.448      2.500     1.65020      55.7      17.21
15       46.922     （可変）                         15.87
16       66.352      6.207     1.48749      70.5      16.50
17     −59.856     10.081                           16.54
18     −54.062      1.500     1.76200      40.1      15.45
19    −435.235     64.500                           15.69
20           ∞      2.000     1.51633      64.1      21.78
21           ∞      1.000                           21.91
像面         ∞                                              。
「可変データ」
物体距離       ∞     10100.000    1604.500
Ｄ12          5.000       6.728      16.608
Ｄ15         24.239      22.511      12.631                  。
「各種データ」
焦点距離      ２３０．０００
Ｆナンバー        ３．２２
半画角            ５．４°
像高            ２２．０００
ＢＦ            ６６．７９０
レンズ全長    １９４．７９０
「条件式のパラメータの値」
条件（１）ｆ１／ｆ＝０．５５  
条件（２）｜ｆ２／ｆ  ｜＝０．３３  
条件（３）｜ｆ１／ｆ２｜＝１．６７  
条件（４）νG1L6  ＝２６．６１  
条件（５）νG1L5−νG1L6  ＝５．５６  
条件（６）ｆL5L6／ｆ１＝１．７０  
条件（７）ｆ３／ｆ＝０．８４  
条件（８）ＮG3L1−ＮG3L2  ＝−０．２７  
条件（９）νG3L1−νG3L2  ＝３０．３５                        。
【０１１３】
実施例４のインナーフォーカス式望遠レンズの物体距離が無限遠の時の球面収差、非点収差、歪曲収差の図を図１１に、コマ収差の図を図１２に示す。
【０１１４】
「実施例５」
実施例５は、図１３にレンズ構成図を示したものである。
【０１１５】
第１レンズ群Ｉの、Ｇ１Ｌ３レンズは「両面が凸形状」、Ｇ１Ｌ４レンズは「両面が凹形状」である。Ｇ１Ｌ５レンズは「両面が凹形状」、Ｇ１Ｌ６レンズは「両面が凸形状」となっており、これらＧ１Ｌ５レンズとＧ１Ｌ６レンズは、貼り合わせられて「接合レンズ」となっている。
【０１１６】
第２レンズ群ＩＩは、Ｇ２Ｌ１レンズ（両凸レンズ）とＧ２Ｌ２レンズ（両凹レンズ）とを貼り合わせた接合レンズである。
【０１１７】
第３レンズ群ＩＩＩは、物体側から像側へ向かって順に、正のＧ３Ｌ１レンズと負のＧ３Ｌ２レンズの２枚で構成されている。
【０１１８】
実施例５のレンズデータを「レンズデータ５」に示す。
【０１１９】
「レンズデータ５」
面番号     Ｒ         Ｄ         Ｎｄ       νｄ    有効半径
物面         ∞         ∞
1       101.983      8.268     1.48749      70.5      35.50
2    −6923.739      0.300                           35.28
3        57.340     10.000     1.45860      90.2      33.27
4       202.646      3.600                           32.60
5        44.451     13.255     1.49700      81.6      28.00
6    −1546.208      0.300                           26.33
7    −1182.551      4.000     1.63980      34.6      26.09
8        29.337     12.745                           20.22
9     −137.318      1.990     1.72825      28.3      19.47
10       25.603     12.414     1.75211      25.1      18.71
11    −132.028      3.628                           18.48
12(絞り)     ∞     （可変）                         17.25
13      277.833      3.407     1.80518      25.5      16.99
14    −104.545      1.800     1.71700      48.0      16.73
15       49.893     （可変）                         15.68
16       63.927      5.672     1.56732      42.8      16.50
17     −69.396      0.300                           16.55
18     −80.370      1.700     1.84666      23.8      16.49
19   −1751.260     64.500                           16.65
20           ∞      2.000     1.51633      64.1     21.82
21           ∞      1.000                          21.93
像面         ∞                                                  。
「可変データ」
物体距離       ∞     10100.000    1014.500
Ｄ12          0.300       2.600      27.545
Ｄ15         34.322      32.022       7.077                          。
「各種データ」
焦点距離      ２００．０００
Ｆナンバー        ２．８０
半画角            ６．３°
像高            ２２．０００
ＢＦ            ６６．８４８
レンズ全長    １８４．８４８                                。
「条件式のパラメータの値」
条件（１）ｆ１／ｆ＝０．７１  
条件（２）｜ｆ２／ｆ  ｜＝０．４８  
条件（３）｜ｆ１／ｆ２｜＝１．４９  
条件（４）νG1L6  ＝２５．０５  
条件（５）νG1L5−νG1L6  ＝３．２７  
条件（６）ｆL5L6／ｆ１＝４．６０  
条件（７）ｆ３／ｆ＝０．７０  
条件（８）ＮG3L1−ＮG3L2  ＝−０．２８                
条件（９）νG3L1−νG3L2  ＝１９．０６                            。
【０１２０】
実施例５のインナーフォーカス式望遠レンズの物体距離が無限遠の時の球面収差、非点収差、歪曲収差の図を図１４に、コマ収差の図を図１５に示す。
【０１２１】
「実施例６」
実施例６は、図１６にレンズ構成図を示したものである。
【０１２２】
第１レンズ群Ｉの「Ｇ１Ｌ３レンズとＧ１Ｌ４レンズ」、「Ｇ１Ｌ５レンズとＧ１Ｌ６レンズ」は、それぞれ貼り合わされている。
【０１２３】
第１レンズ群Ｉの、Ｇ１Ｌ３レンズは「両面が凸形状」、Ｇ１Ｌ４レンズは「両面が凹形状」であり、互いに貼り合わせられている。
【０１２４】
Ｇ１Ｌ５レンズは「両面が凹形状」、Ｇ１Ｌ６レンズは「両面が凸形状」であり、これらＧ１Ｌ５レンズとＧ１Ｌ６レンズも貼り合わせられている。
【０１２５】
第２レンズ群ＩＩは、Ｇ２Ｌ１レンズ（両凸レンズ）とＧ２Ｌ２レンズ（両凹レンズ）とを貼り合わせた接合レンズである。
【０１２６】
第３レンズ群ＩＩＩは、物体側から像側へ向かって順に、正のＧ３Ｌ１レンズと負のＧ３Ｌ２レンズの２枚で構成されている。
【０１２７】
実施例６のレンズデータを「レンズデータ６」に示す。
【０１２８】
「レンズデータ６」
面番号     Ｒ         Ｄ         Ｎｄ       νｄ    有効半径
物面         ∞         ∞
1       106.387     10.910     1.48749      70.5      36.00
2     −996.212      7.602                           35.54
3       108.079      8.389     1.45650      90.3      33.01
4       677.102      4.924                           32.09
5        91.144     11.636     1.45650      90.3      29.23
6     −137.107      2.900     1.90366      31.3      27.95
7       147.617     23.327                           26.42
8     −351.656      2.500     1.90366      31.3      22.65
9        56.541     10.240     1.74077      27.8      22.17
10     −90.291      5.000                           22.08
11(絞り)     ∞     （可変）                         20.14
12      218.089      4.041     1.92286      20.9      18.13
13    −151.080      2.500     1.83481      42.7      17.73
14       52.155     （可変）                         16.54
15       49.168      7.063     1.51680      64.2      16.50
16     −79.687     13.217                           16.36
17     −52.778      4.000     1.88300      40.8      13.71
18      171.452     67.107                           13.87
19           ∞      2.000     1.51633      64.1      21.72
20           ∞      1.000                           21.88
像面         ∞                              。
「可変データ」
物体距離       ∞     10100.000    2772.572
Ｄ11          5.000       7.112      12.951
Ｄ14         34.073      31.961      26.122                  。
「各種データ」
焦点距離      ３００．０００
Ｆナンバー        ４．０５
半画角            ７．１°
像高            ２２．０００
ＢＦ            ６９．３１３
レンズ全長    ２２６．６３４
「条件式のパラメータの値」  
条件（１）ｆ１／ｆ＝０．４６
条件（２）｜ｆ２／ｆ  ｜＝０．３０
条件（３）｜ｆ１／ｆ２｜＝１．５２
条件（４）νG1L6  ＝２７．７６
条件（５）νG1L5−νG1L6  ＝３．５６
条件（６）ｆL5L6／ｆ１＝２．４０
条件（７）ｆ３／ｆ＝４．５０
条件（８）ＮG3L1−ＮG3L2  ＝−０．３７
条件（９）νG3L1−νG3L2  ＝２３．４０                        。
【０１２９】
実施例６のインナーフォーカス式望遠レンズの物体距離が無限遠の時の球面収差、非点収差、歪曲収差の図を図１７に、コマ収差の図を図１８に示す。
【０１３０】
以上のように、この発明によれば、以下の如きインナーフォーカス式望遠レンズを実現できる。
【０１３１】
［１］
物体側から像側へ向かって順に、正の屈折力を持つ第１レンズ群Ｉ、負の屈折力を持つ第２レンズ群ＩＩ、正の屈折力を持つ第３レンズ群ＩＩＩを配し、第１レンズ群Ｉと第２レンズ群ＩＩとの間に開口絞りＳを有してなり、第２レンズ群ＩＩが光軸上を移動することでフォーカシングを行うインナーフォーカス式望遠レンズであって、第１レンズ群Ｉが、物体側から像側へ向かって順に、正の屈折力を持つＧ１Ｌ１レンズ、正の屈折力を持つＧ１Ｌ２レンズ、正の屈折力を持つＧ１Ｌ３レンズ、負の屈折力を持つＧ１Ｌ４レンズ、負の屈折力を持つＧ１Ｌ５レンズ、正の屈折力を持つＧ１Ｌ６レンズを配してなり、前記Ｇ１Ｌ６レンズがＧ１Ｌ５レンズに近接し若しくは貼り合わせられ、物体側の共役点が無限遠の時、全系の焦点距離：ｆ、第１レンズ群の焦点距離：ｆ１、第２レンズ群の焦点距離：ｆ２が条件：
（１）  ０．４  ＜  ｆ１／ｆ    ＜  ０．９  
（２）  ０．２  ＜｜ｆ２／ｆ  ｜＜  ０．６
（３）  １．３  ＜｜ｆ１／ｆ２｜＜  １．８  
を満足し、且つ、Ｇ１Ｌ５レンズのアッベ数：νG1L5、Ｇ１Ｌ６レンズのアッベ数：νG1L6が、条件：
（４）  １５  ＜  νG1L6  ＜  ３２  
（５）  ２  ＜  νG1L5−νG1L6  ＜  １０  
を満足するインナーフォーカス式望遠レンズ。
【０１３２】
［２］
［１］記載のインナーフォーカス式望遠レンズにおいて、第１レンズ群Ｉの焦点距離：ｆ１、Ｇ１Ｌ５レンズとＧ１Ｌ６レンズとの合成焦点距離：ｆL5L6が、条件：  
（６）  １．５  ＜  ｆL5L6／ｆ１    ＜  ６．０
を満足するインナーフォーカス式望遠レンズ。
【０１３３】
［３］
［１］または［２］記載のインナーフォーカス式望遠レンズにおいて、Ｇ１Ｌ５レンズは、両面が凹形状であり、Ｇ１Ｌ６レンズは、両面が凸形状であるインナーフォーカス式望遠レンズ。
【０１３４】
［４］
［１］〜［３］の何れか１に記載のインナーフォーカス式望遠レンズにおいて、全系の焦点距離：ｆ、第３レンズ群の焦点距離：ｆ３が、条件：
（７）  ０．５  ＜  ｆ３／ｆ    ＜  ６．０  
を満足するインナーフォーカス式望遠レンズ。
【０１３５】
［５］  
［１］〜［４］の何れか１に記載のインナーフォーカス式望遠レンズにおいて、第３レンズ群ＩＩＩが、物体側から像側へ向かって順に、正の屈折力を持つＧ３Ｌ１レンズと負の屈折力を持つレンズ：Ｇ３Ｌ２を配してなるインナーフォーカス式望遠レンズ。
【０１３６】
［６］
［５］記載のインナーフォーカス式望遠レンズにおいて、Ｇ３Ｌ１レンズのｄ線に対する屈折率：ＮG3L1、アッベ数：νG3L1、Ｇ３Ｌ２レンズのｄ線に対する屈折率：ＮG3L2、アッベ数：νG3L2が、条件：  
（８）  −０．４  ＜  ＮG3L1−ＮG3L2  ＜  −０．１  
（９）  １５  ＜  νG3L1−νG3L2  ＜  ３５  
を満足するインナーフォーカス式望遠レンズ。
【０１３７】
［７］
［１］〜［６］の何れか１に記載のインナーフォーカス式望遠レンズにおいて、第１レンズ群Ｉ内のＧ１Ｌ３レンズは、両面が凸形状で、Ｇ１Ｌ４レンズは、両面が凹形状であるインナーフォーカス式望遠レンズ。
【０１３８】
［８］
［１］〜［７］の何れか１に記載のインナーフォーカス式望遠レンズにおいて、Ｇ１Ｌ３レンズとＧ１Ｌ４レンズが、張り合わされた接合レンズであるインナーフォーカス式望遠レンズ。
【０１３９】
以上、発明の好ましい実施の形態について説明したが、この発明は上述した特定の実施形態に限定されるものではなく、上述の説明で特に限定していない限り、特許請求の範囲に記載された発明の趣旨の範囲内において、種々の変形・変更が可能である。  
この発明の実施の形態に記載された効果は、発明から生じる好適な効果を列挙したに過ぎず、発明による効果は「実施の形態に記載されたもの」に限定されるものではない。
【０１４０】
この発明の「インナーフォーカス式望遠レンズ」は、写真用カメラやビデオカメラ等に好適であり、１８０〜３００ｍｍ程度の焦点距離は実施例に示したように好適である。
【符号の説明】
【０１４１】
Ｉ        第１レンズ群
ＩＩ      第２レンズ群  
ＩＩＩ    第３レンズ群  
Ｓ        開口絞り  
ＣＧ      カバーガラス  
ＩＭ    像面
【先行技術文献】
【特許文献】
【０１４２】
【特許文献１】特開昭５９−２１６１１３号公報
【特許文献２】特許第３７４６９４２号公報
【図１】
2016051100.tif 000003
【図２】
2016051100.tif 000004
【図３】
2016051100.tif 000005
【図４】
2016051100.tif 000006
【図５】
2016051100.tif 000007
【図６】
2016051100.tif 000008
【図７】
2016051100.tif 000009
【図８】
2016051100.tif 000010
【図９】
2016051100.tif 000011
【図１０】
2016051100.tif 000012
【図１１】
2016051100.tif 000013
【図１２】
2016051100.tif 000014
【図１３】
2016051100.tif 000015
【図１４】
2016051100.tif 000016
【図１５】
2016051100.tif 000017
【図１６】
2016051100.tif 000018
【図１７】
2016051100.tif 000019
【図１８】
2016051100.tif 000020